(57)【要約】      （修正有）【課題】挿脱口の前面側において、装着部に装着された記録媒体の外周縁より外側に搬送部材を配置する。これにより、操作者が記録媒体のスムースな挿入・排出動作を行うことができると共に、装置全体の薄型化を図ることができるローディング装置及び記録及び／又は再生装置を提供する。【解決手段】光ディスクが挿入・排出される挿脱口２４を設けた筐体と、挿脱口の光ディスクが挿入等される挿脱位置と、装着部の装着位置との間に光ディスクを搬送する搬送機構と、を備えている。搬送機構は、光ディスクの主面と略平行する方向に回転軸４８が延在されると共に軸方向の長さが光ディスクの直径よりも長く、しかも主面の外周縁に回転接触して摩擦力で光ディスクをその面方向に移動させる搬送ローラ４０を有する。その搬送ローラを、装着部に装着された光ディスクの外周縁より外側に配置した。【選択図】図１１
2008152823.tif 000002
【特許請求の範囲】
【請求項１】
記録媒体が挿入及び／又は排出される挿脱口を設けた筐体と、
前記挿脱口の前記記録媒体が挿入及び／又は排出される挿脱位置と、当該挿脱口から前記筐体の内部に挿入された当該記録媒体が装着される装着部の装着位置との間に記録媒体を搬送する搬送機構と、を備え、
前記搬送機構は、前記挿脱口に挿入及び／又は排出される前記記録媒体の主面と略平行する方向に回転軸が延在されると共に軸方向の長さが当該記録媒体の外径よりも長く、しかも前記主面の外周縁に回転接触して摩擦力で前記記録媒体をその面方向に移動させる搬送部材を有し、
前記搬送部材を、前記装着部に装着された前記記録媒体の外周縁より外側に配置した
ことを特徴とするローディング装置。
【請求項２】
前記搬送機構は、前記記録媒体を前記挿脱位置から前記装着位置に至る前の中間位置まで搬送する第１の搬送機構と、前記記録媒体を前記中間位置から前記装着位置まで搬送する第２の搬送機構と、を備え、
前記搬送部材は搬送ローラであり、
前記第１の搬送機構が前記搬送ローラを有する
ことを特徴とする請求項１記載のローディング装置。
【請求項３】
前記搬送部材は搬送ローラであると共に、当該搬送ローラは、軸方向中央の直径を軸方向両側の直径よりも細くしてゴム又はウレタン系の材料で形成された中細ロールである
ことを特徴とする請求項１記載のローディング装置。
【請求項４】
前記搬送部材は、回転可能に軸支された可動フレームを介して前記筐体に揺動可能に支持されている
ことを特徴とする請求項１記載のローディング装置。
【請求項５】
前記搬送部材は、前記挿脱口を塞ぐ方向へ付勢部材によって付勢されている
ことを特徴とする請求項１記載のローディング装置。
【請求項６】
前記搬送部材は搬送ローラであると共に、当該搬送ローラを回転駆動するローラ回転駆動部を設け、
前記ローラ回転駆動部は、前記搬送ローラを回転駆動する電動モータと、前記電動モータの回転数を減速させて前記搬送ローラに伝達するギア列との組み合わせからなり、
当該ローラ回転駆動部は、前記筐体の側面部に設けた
ことを特徴とする請求項１記載のローディング装置。
【請求項７】
前記筐体は、前記装着部に装着された前記記録媒体の下方に空間部を設定するデッキ部を有し、前記空間部内に前記ローラ回転駆動部を収納した
ことを特徴とする請求項６記載のローディング装置。
【請求項８】
記録媒体が挿入及び／又は排出される挿脱口を設けた筐体と、
前記挿脱口から前記筐体内に挿入された前記記録媒体が着脱可能に装着される装着部を有し且つ当該装着部に装着された記録媒体を回転駆動する回転駆動機構と、
前記回転駆動機構により回転駆動される前記記録媒体に対して情報信号の記録及び／又は再生を行うピックアップ装置と、
前記ピックアップ装置を前記記録媒体の内外周に亘って送り動作させるピックアップ移動機構と、
前記挿脱口の挿脱位置と前記装着部の装着位置との間に前記記録媒体を搬送する搬送機構と、
前記装着位置において前記装着部に対して前記記録媒体を着脱させる着脱機構と、を備え、
前記搬送機構は、前記挿脱口に挿入及び／又は排出される前記記録媒体の主面と略平行する方向に回転軸が延在されると共に軸方向の長さが当該記録媒体の外径よりも大きく、しかも前記主面の外周縁に回転接触して摩擦力で前記記録媒体をその面方向に移動させる搬送部材を有し、
前記搬送部材を、前記装着部に装着された前記記録媒体の外周縁より外側に配置した
ことを特徴とする記録及び／又は再生装置。
【請求項９】
前記搬送機構は、前記記録媒体を前記挿脱位置から前記装着位置に至る前の中間位置まで搬送する第１の搬送機構と、前記記録媒体を前記中間位置から前記装着位置まで搬送する第２の搬送機構と、を備え、
前記搬送部材は搬送ローラであり、
前記第１の搬送機構が前記搬送ローラを有する
ことを特徴とする請求項８記載の記録及び／又は再生装置。
【請求項１０】
前記回転駆動機構と前記ピックアップ装置と前記ピックアップ移動機構とをベース部材に搭載してベースユニットを構成し、当該ベースユニットを前記筐体に回動可能に支持し、
前記着脱機構で前記ベースユニットを回動することにより前記記録媒体を前記装着部に装着又は離脱させる
ことを特徴とする請求項８記載の記録及び／又は再生装置。
【発明の詳細な説明】
【技術分野】
【０００１】
本発明は、回転する記録媒体の内外周に亘ってピックアップ装置を移動させ、当該記録媒体に対して情報信号の記録及び／又は再生を行う記録及び／又は再生装置、及び、その記録及び／又は再生装置の装着部と記録媒体が出し入れされる挿脱口との間に記録媒体を搬送させるローディング装置に関する。
【背景技術】
【０００２】
一般に、記録媒体としては、ＣＤ(Compact Disk)やＤＶＤ(Digital Versatile Disk)といった光ディスクや、ＭＤ(Mini Disk)等の光磁気ディスクが広く知られている。これらの光学ディスクを用いて情報信号の記録や再生を行うために、各種の記録及び／又は再生装置が提供されている。また、その記録媒体を、記録及び／又は再生装置の装着部のある装着位置と、装置本体の外筐である筐体に設けた挿脱口のある挿脱位置との間に搬送させるために、各種の搬送機構（若しくはローディング機構）が提供されている。
【０００３】
この記録及び／又は再生装置の搬送機構（ローディング機構）としては、次のような各種のタイプのものがある。その１は、筐体に設けた蓋や扉を上方に開放し、その開口部に臨むターンテーブルに光学ディスクを直接装着するタイプである。その２は、筐体の内外に亘って水平方向へ搬送されるディスクトレイに光学ディスクを載置し、そのディスクトレイが筐体内に引き込まれた際に光学ディスクが、筐体内に設けられたターンテーブルに自動的に装着されるタイプである。その３は、ディスクトレイにターンテーブルが一体的に設けられていて、そのディスクトレイが筐体外へ引き出された際にターンテーブルへ光学ディスクを直接装着するタイプである。
【０００４】
しかしながら、上述した１〜３のタイプのいずれの場合にも、操作者において、筐体の蓋や扉を開閉したり、ディスクトレイを出し入れしたりする操作や、ターンテーブルに光学ディスクを装着する操作が必要であった。
【０００５】
これに対して、筐体の前面に挿脱口を設け、その挿脱口から操作者が光学ディスクを挿入するだけで、光学ディスクが自動的に筐体内へ引き込まれてターンテーブルに装着される、いわゆるスロットイン型のディスク記録及び／又は再生装置がある。このスロットイン型ディスク記録及び／又は再生装置には、次のようなタイプのものがある。その１は、挿脱口の近傍に、挿入される光学ディスクの主面又は外径を挟んで搬送する搬送ローラや支持突起が対向設置されたローラユニットを有するタイプである。その２は、薄板の揺動体を組み合わせて揺動体ユニットを構成し、その揺動体ユニットで光学ディスクを移動させて装着部まで搬送するタイプである。
【０００６】
これらのスロットイン型ディスク記録及び／又は再生装置においては、後者の揺動体ユニットを用いたスロットイン型ディスク記録及び／又は再生装置では、揺動体ユニットが薄い板金を組み合わせた構成であるため、前者のローラユニットタイプのスロットイン型ディスク記録及び／又は再生装置に比べて、ディスク記録及び／又は再生装置の薄型化に適するという特徴を持っている。その一方、後者の揺動体ユニットタイプのスロットイン型ディスク記録及び／又は再生装置では、複数の揺動体を同期させて動作させる必要があるため、部品点数が多くなり機構自体が複雑になっていた。
【０００７】
従来の、この種の記録及び／又は再生装置のローラ方式のローディング機構としては、例えば、特許文献１に記載されているようなものがある。特許文献１には、ディジタルオーディオコンパクトディスクのプレーヤに備える円盤状記録媒体搬送装置に関するものが記載されている。この円盤状記録媒体搬送装置は、「挿入された円盤状記録媒体を挟持して搬送する上下一対のローラを有する円盤状記録媒体搬送装置において、上記一対のローラの内、下部ローラをシャーシ側に回動自在に支持された支持板に取付けると共に、該支持板に上記下部ローラを回転駆動するモータを取付け、かつ上記支持板に軸支され、上記モータにより回転駆動される回転部材に対して電磁装置により接離制御される接離部材を上記シャーシ側に設けた」ことを特徴としている。
【０００８】
このような構成を有する特許文献１に記載された円盤状記録媒体搬送装置によれば、「ディスクプレーヤのディスク搬送装置に適用すれば省スペースが実現できると共に、ディスクの装填移動量を自由に設定できる」等の効果を得ることができる。
【０００９】
また、従来のローラ方式のローディング機構の第２の例としては、例えば、特許文献２に記載されているようなものもある。特許文献２には、挿入されたディスクをターンテーブルまで自動搬送して中心を整合させ、再生可能な状態にチャッキングする機構に関するものが記載されている。このディスクプレーヤのローディング機構は、「ターンテーブルのディスク設置面を設定する基準面を、ピックアップを設置した駆動基盤の片面とし、前記ターンテーブルを待機位置から移動させて、別設のディスククランプと協働で、前記ディスクを前記基準面から所定の間隔で平行に設定したディスク再生位置にチャッキングする」ことを特徴としている。
【００１０】
このような構成を有するディスクプレーヤのローディング機構によれば、「駆動基盤の下面を基準面として、ピックアップ走行面を規定し、この基準面により設定されるターンテーブル面を上限としてターンテーブルをピックアップから独立させて昇降しているので、単純かつ軽快な移動機構を適用して、ディスク記録面とピックアップの相対的位置関係が極めて正確に維持できる」等の効果が期待される。
【００１１】
しかしながら、前述した従来のいずれのローラ方式のローディング装置においても、ディスクのローディング動作及びアンローディング（排出）動作をローラのみで行うために、挿脱口の挿脱位置と装着部の装着位置との各位置において、ローラを直ちにディスクに当接させることができる構成である必要があった。そのため、ローディング装置を平面的に見た場合に、ローラは少なくとも装着部に装着されたディスクの主面と重なり合う位置に配置される必要があり、必然的に筐体の内部に配置される構成となっていた。
【００１２】
しかも、記録・再生時においてローラがディスクと干渉しないようにするため、ディスクを回転駆動機構（ターンテーブル）に装着した後、そのディスクの主面からローラを退避させる必要がある。そして、ディスクを排出する場合には、ローラを再びディスクに当接させ、搬送可能な状態にする必要がある。このように、ローディング装置のローラは、ディスクのローディング状態に応じて、ディスクの主面に当接させたり非当接の状態に戻したりして、その位置を移動させる必要があった。
【００１３】
ところで、スロットイン型ディスク装置には、パーソナルコンピュータ（以下「パソコン」という。）やゲーム機器、ＡＶ機器等のホスト機器の筐体に設けられたドライブベイに搭載され、ホスト機器側から駆動電源が供給されてホスト機器と一体に用いられるものがある。このようなホスト機器のうち、例えば、ノートブック型パソコンや薄型ＡＶ機器等においては、更なる小型化、軽量化、薄型化が求められており、それに伴って、かかるホスト機器に搭載されるディスク装置にも小型化、軽量化、薄型化の要求が高くなっている。
【００１４】
また、記録媒体に関しても、ディスクの規格や記録容量等に応じて、例えば、直径１２ｃｍの標準的な光ディスクに加え、カメラ一体型ビデオディスクレコーダ（以下「カムコーダ」という。）等に用いられる直径８ｃｍの光ディスクといった外径の異なる各種のディスクが提供されている。これらの事情により、パソコンやＡＶ用ディスク録画再生機等に搭載されるディスク装置においては、何れのサイズの光学ディスクにも対応できることが要求されている。
【００１５】
ここで、スロットイン型ディスク装置の他の例として、例えば、特許文献３に記載されているようなものもある。特許文献３には、外部からディスクを直接挿入、排出できる、いわゆるスロットインタイプのディスク装置の薄型化に関するものが記載されている。このディスク装置は、「ディスクを回転駆動するスピンドルモータと、前記スピンドルモータを支持するベース体と、前記ベース体の両側に延在して前記ベース体を支持し、ディスク面の方向に往復移動することにより前記ベース体をディスク面に垂直な方向に昇降せしめる一対のスライド部材と、ディスク面の方向に揺動し、操作者によって供給されたディスクの中心を前記スピンドルモータの中心位置まで引き込む第１の揺動体と、ディスク面の方向に揺動し、ディスクの中心を前記スピンドルモータの中心位置から操作者によって取り出す位置まで排出する第２の揺動体とを具備し、前記一対のスライド部材は、前記第１の揺動体に引き込み動作をさせる第１のスライド部材と、前記第２の揺動体に排出動作をさせる第２のスライド部材とからなり、前記スピンドルモータ、前記ベース体、前記第１のスライド部材、前記第２のスライド部材、前記第１の揺動体、及び前記第２の揺動体は、ディスクの片面側に配置されている」ことを特徴としている。
【００１６】
このような構成を有する特許文献３に記載されたディスク装置によれば、「ローラを使用しないディスク搬送手段であるため、ディスク装置を薄型化することができる。またディスクの搬送を２本の揺動体のみによって行い、しかもスライド部材によって２本の揺動体の駆動とベース体の昇降駆動を兼ねさせるシンプルな構成としてディスク装置の低コスト化、軽量化を図ることができる」等の効果を得ることができる。
【００１７】
このような従来の揺動アーム方式のローディング装置においては、次のような特徴が見られる。ディスクのローディング開始位置（引き込み開始位置）が装着部の近くにあるため、ディスクの直径方向の半分以上を操作者が挿脱口から押し込む必要があった。これは、筐体の内部に配置されている揺動アームの１つを挿脱口の近傍に配置し、その揺動アームの当接部を、挿入されてくるディスクの中央より後ろ側（操作者に近い側）に当接させてディスクを引き込む動作が必要となるためである。
【００１８】
この点は、ディスクの排出完了位置についても同様であり、ディスクの直径方向の半分よりやや大きい部分が挿脱口から飛び出したところがディスクの排出完了位置である。この場合に、揺動アームを工夫することにより、その排出完了位置をローラ方式と同等の位置まで延長することも考えられる。しかしながら、揺動アーム方式では、例えば、前面パネルのカーテン等による僅かな力でディスクを保持する構成となっている。そのため、揺動アーム方式では、ローラ方式の搬送ローラのような強い保持力を得ることができず、排出完了位置に移動したディスクがディスク装置から落下するおそれがあった。
【特許文献１】特開昭６０−１３６０５６号公報
【特許文献２】特開２００２−１７５６５７号公報
【特許文献３】特開２００２−１１７６０４号公報
【発明の開示】
【発明が解決しようとする課題】
【００１９】
解決しようとする問題点は、従来の揺動方式のローディング装置においては、ディスクのローディング開始位置、及びディスクの排出完了位置が操作者から遠いため、  ローディング時には操作者がディスクを装置の奥まで押し込まなければならず、また、アンローディング時には操作者がディスクを装置の奥から取り出さなければならなかった。そのため、ディスクを挿脱する際に、ディスクをうまく掴めなかったり、情報信号が記録されている面を掴んでしまったりして、使い勝手が悪いという点である。また、従来の揺動アーム方式のディスクローディング装置においては、ローディング時には操作者の手でディスクを装置の奥まで挿入する必要があることから、そのディスクが引き込み方向に対して傾いて挿入されるおそれが多く、その結果、ディスクが装置内の構成部材に当接して傷付けられると、情報信号の記録や再生が不可能になるという点である。
【課題を解決するための手段】
【００２０】
本出願のローディング装置は、記録媒体が挿入及び／又は排出される挿脱口を設けた筐体と、挿脱口の記録媒体が挿入及び／又は排出される挿脱位置と、挿脱口から筐体の内部に挿入された記録媒体が装着される装着部の装着位置との間に記録媒体を搬送する搬送機構と、を備え、搬送機構は、挿脱口に挿入及び／又は排出される記録媒体の主面と略平行する方向に回転軸が延在されると共に軸方向の長さが記録媒体の直径よりも長く、しかも主面の外周縁に回転接触して摩擦力で記録媒体をその面方向に移動させる搬送部材を有し、その搬送部材を、装着部に装着された記録媒体の外周縁より外側に配置した、ことを最も主要な特徴とする。
【００２１】
また、本出願の記録及び／又は再生装置は、記録媒体が挿入及び／又は排出される挿脱口を設けた筐体と、挿脱口から筐体内に挿入された記録媒体が着脱可能に装着される装着部を有し且つ装着部に装着された記録媒体を回転駆動する回転駆動機構と、その回転駆動機構により回転駆動される記録媒体に対して情報信号の記録及び／又は再生を行うピックアップ装置と、そのピックアップ装置を記録媒体の内外周に亘って送り動作させるピックアップ移動機構と、挿脱口の挿脱位置と装着部の装着位置との間に記録媒体を搬送する搬送機構と、装着位置において装着部に対して記録媒体を着脱させる着脱機構と、を備えて構成されている。搬送機構は、挿脱口に挿入及び／又は排出される記録媒体の主面と略平行する方向に回転軸が延在されると共に軸方向の長さが記録媒体の直径よりも大きく、しかも主面の外周縁に回転接触して摩擦力で記録媒体をその面方向に移動させる搬送部材を有し、その搬送部材を、装着部に装着された記録媒体の外周縁より半径方向外側に配置したことを特徴としている。
【発明の効果】
【００２２】
本出願のローディング装置及び記録及び／又は再生装置によれば、挿脱口の前面側に搬送部材（搬送ローラ）を設け、この搬送部材で記録媒体をその面方向の少なくとも一部に移動させる構成とすることにより、挿入時には挿脱口の浅い位置まで記録媒体を挿入するだけでそれに続いて搬送部材が奥まで記録媒体を搬送し、また、排出時には挿脱口に記録媒体が大きく突出される。そのため、操作者が記録媒体のスムースな挿入・排出動作を行うことができると共に、装置全体の薄型化を図ることができる。
【発明を実施するための最良の形態】
【００２３】
挿脱口の前面側において、装着部に装着された記録媒体の外周縁より外側に搬送部材を配置する。これにより、操作者が記録媒体のスムースな挿入・排出動作を行うことができると共に、装置全体の薄型化を図ることができるローディング装置及び記録及び／又は再生装置を、簡単な構造によって実現した。
【実施例１】
【００２４】
図１〜図１５は、本発明の実施の形態の例を示すものである。即ち、図１は本発明の記録及び／又は再生装置の第１の実施の例を示すディスクドライブ装置を備えた電子機器の第１の実施の例を示す説明図、図２〜図６は本発明の記録及び／又は再生装置の第１の実施の例を示すもので、図２は斜視図、図３は第１の搬送機構の上部フレームを分離した斜視図、図４は第１の搬送機構の分解斜視図、図５Ａは正面図、図５Ｂは右側面図、図５Ｃは縦断面図、図６は上部カバーを取り除いて内部機構を示す平面図である。図７〜図９は記録及び／又は再生装置のベースユニットを示すもので、図７は平面図、図８は斜視図、図９はユニットカバーを取り除いた平面図である。図１０〜図１５は、本発明の記録及び／又は再生装置の第１の実施の例の動作を説明するもので、図１０は大径ディスク及び小径ディスクの挿入前の状態図、図１１は大径ディスクの挿入後の状態図、図１２は小径ディスクの挿入後の状態図、図１３Ａ，Ｂはディスク挿入前の断面図、図１４Ａ，Ｂはディスク挿入時の断面図、図１５Ａ，Ｂはディスク挿入後の断面図である。
【００２５】
まず、図１〜図５を参照して、本発明のローディング装置を有する記録及び／又は再生装置の第１の実施の例を示すディスクドライブ装置１０と、そのディスクドライブ装置１０を備えた電子機器の実施の例について説明する。図１に示すノート型パーソナルコンピュータ（以下「ノート型パソコン」という。）１は、本発明の記録及び／又は再生装置に係るディスクドライブ装置１０を備えた電子機器の第１の実施の例を示すもので、スロットイン型のディスクドライブ装置１０が搭載されている。
【００２６】
図１に示すように、ノート型パソコン１は、長方形で薄い偏平の中空体からなる装置筐体２と、同じく長方形で薄い偏平の中空体からなる蓋体３を有している。装置筐体２と蓋体３は、幅方向の一側において図示しないヒンジ部によって回動自在に連結されており、図１に示すように蓋体３を開いた状態と、図示しないが、装置筐体２に蓋体３を重ね合わせた状態と、両状態間の任意の位置においてその姿勢を保持した状態との任意の姿勢を維持できるように構成されている。
【００２７】
蓋体３の内面には、周囲にわずかな縁取りを残して開口部４が設けられている。蓋体３の開口部４には、蓋体３内に収納された液晶ディスプレイや有機ＥＬディスプレイ、表面電界ディスプレイ等の表示装置５の表示面が臨まれている。また、装置筐体２の上面であって蓋体３と対向する面には、多数のキーの組み合わせからなる入力操作を行うための入力操作部６が設けられている。装置筐体２には、図示しないが、表示装置５やディスクドライブ装置１０等を制御するための制御装置が内蔵されている。この装置筐体２の内部に設けたドライブベイにディスクドライブ装置１０が収納されている。このディスクドライブ装置１０は、装置筐体２の一方の側面２ａに開口された開口部に、前面に設けた挿脱口２４を臨ませるようにして取り付けられている。そして、ディスクドライブ装置１０の前面は、装置筐体２の外面と略同一面となるように構成されている。
【００２８】
本発明の記録及び／又は再生装置に用いられる記録媒体としては、光ディスクは勿論のこと、光磁気ディスク、磁気ディスク等のように各種の記録用ディスクを用いることができる。更に、光ディスクにおいても、再生専用のＣＤ、ＣＤ−ＲＯＭ、ＤＶＤ−ＲＯＭ等の光ディスクは勿論のこと、１回の記録或いは何度でも記録が可能なＣＤ−ＲＷ、ＤＶＤ−Ｒ、ＤＶＤ−ＲＷ等の光ディスクのように各種の光ディスクを適用することができる。これらに対応して、記録及び／又は再生装置としては、例えば、光ディスク式記録装置、光ディスク式再生装置、光ディスク式記録再生装置、光ディスク式撮像装置、光磁気ディスク式記録装置、光磁気ディスク式再生装置、光磁気ディスク式撮像装置、磁気ディスク式記録装置、磁気ディスク式再生装置、磁気ディスク式記録再生装置等を挙げることができる。
【００２９】
また、これらの記録及び／又は再生装置において、使用されるディスクの大きさは、例えば直径が１２ｃｍの記録媒体に限定されるものではなく、直径が８ｃｍの記録媒体は勿論のこと、その他の大きさの記録媒体を対象とすることができることは勿論である。更に、記録媒体として、直径が異なる複数種類のディスクを選択的に用いることもできる。以下に説明する実施例では、直径が１２ｃｍの光ディスクである大径ディスク７Ｌと、直径が８ｃｍの光ディスクである小径ディスク７Ｓとのいずれにも対応できるように構成されている。なお、記録媒体としては、上述したディスク状記録媒体に限定されるものではなく、例えば、半導体記憶媒体、カード状記憶媒体、カートリッジ式記録媒体等のように各種の記録媒体を適用できるものである。
【００３０】
また、本発明の記録及び／又は再生装置が用いられる電子機器としては、この実施例で示すノート型パソコン１に限定されるものではなく、デスクトップ型パーソナルコンピュータに適用できることは勿論のこと、その他にも、記録媒体を用いて情報信号の記録又は再生を行い、或いは記録と再生の両方を行うことができる各種の電子機器、例えば、ＤＶＤプレーヤ、ＤＶＤレコーダ、ＣＤプレーヤ、ＣＤレコーダ、カーナビゲーション、撮像装置、電子辞書等に適用できるものである。
【００３１】
図１に示すノート型パソコン１に搭載されたディスクドライブ装置１０は、例えば、厚さが１２．７ｍｍ程度にまで薄型化されたスロットイン型のディスクドライブ装置である。このディスクドライブ装置１０は、ノート型パソコン１に搭載されることにより、そのノート型パソコン１と一体となって駆動されて、ＣＤやＤＶＤ等の記録媒体である光ディスク７に対して情報信号の記録又は再生、或いは記録と再生の両方を行うことができるように構成されている。
【００３２】
図２〜図９に示すように、ディスクドライブ装置１０は、装置本体の外筐となる筐体１１と、この筐体１１内に収納されて姿勢変更可能に支持されたベース部材１２と、このベース部材１２に取り付けられた回転駆動機構１３、ピックアップ装置１４及びピックアップ移動機構１５と、光ディスク７を挿脱口の挿脱位置と装着部の装着位置との間に搬送する搬送機構１６と、装着位置において光ディスク７を装着部に着脱させる着脱機構１９等を備えて構成されている。
【００３３】
また、搬送機構１６は、挿脱口側において光ディスク７を搬送する第１の搬送機構１７と、装着部側において光ディスク７を搬送する第２の搬送機構１８とからなっている。挿脱口から挿入された光ディスク７は、第１の搬送機構１７と第２の搬送機構１８との間で受け渡すようにして搬送される。そして、第１及び第２の搬送機構１７，１８による一連の連続して行われる搬送動作により、光ディスク７が挿脱位置と装着位置との間に搬送される。
【００３４】
図２〜図４に示すように、筐体１１は、上面と正面に開口された薄い箱状の下部ケース本体２１と、この下部ケース２１の上面の開口部を覆う上部ケース２２とを有している。下部ケース２１は、板金によって形成された容器体からなり、その底面部２１ａは略矩形状をなしている。この下部ケース２１の長手方向と交差する幅方向の一側に、底面部２１ａよりも底上げされて外側へと張り出したデッキ部２１ｂが設けられている。デッキ部２１ｂは、下部ケース２１の高さの略半分程度の厚さを有しており、搬送される光ディスク７が大径ディスク７Ｌである場合に、その一部がこのデッキ部２１ｂ上に配置される。
【００３５】
下部ケース２１の底面部２１ａには、図６及び図１０〜図１２に示すように、後述するベースユニットや第２の搬送機構１８等と、これらを駆動制御する駆動制御部２３等が配置されている。駆動制御部２３は、所定の配線回路が形成された回路基板２４を有しており、その回路基板２４を底面部２１ａにねじ止めすることにより、駆動制御部２３が下部ケース２１に取り付けられている。回路基板２４には、ＩＣチップ等の電子部品や、各部の電気的な接続を図るためのコネクタ２５及び、各部の動作を検出するための検出スイッチ（図示せず。）等が取り付けられている。このうち、コネクタ２５は、下部ケース２１の背面部に設けた開口部に対向されており、そのコネクタ２５に対して外部から接続・離脱が可能とされている。
【００３６】
上部ケース２２は、下部ケース２１の平面形状に対応した形状を有しており、比較的薄い板金によって形成されている。上部ケース２２の、下部ケース２１の前面開口部に対応する辺を除く３辺には、下部ケース２１の両側面及び背面に沿って僅かに折り曲げられて形成された折曲部２２ａが設けられている。下部ケース２１への上部ケース２２の組立時、３辺の折曲部２２ａが下部ケース２１の両側面及び背面の各上部に重ね合わされることにより両ケース２１，２２が嵌合された状態となる。
【００３７】
上部ケース２２の略中央部には、略円形をなす開口穴２６が設けられている。この開口穴２６は、後述するチャッキング動作時に、光ディスク７の中心孔７ａに嵌合されるターンテーブルの嵌合部を臨ませるためのものである。図１５Ａ，Ｂに示すように、開口穴２６の周囲は、筐体１１の内部に向かって僅かに突出したリング状の当接突部２７として形成されている。この当接突部２７は、光ディスク７の中心孔７ａの周縁に当接して光ディスク７を支持し、持ち上げられたターンテーブルの嵌合部が中心孔７ａに嵌合されるようにするものである。
【００３８】
更に、上部ケース２２の外縁部には、この上部ケース２２を下部ケース２１にねじ止めするためのねじ止め部２２ｂが３箇所に設けられている。各ねじ止め部２２ｂには、固定ねじを貫通させる貫通孔２８がそれぞれ設けられている。これらの貫通孔２８に対応して、下部ケース２１の対応する位置には、ねじ孔を有する固定片が設けられている。これらの貫通孔２８を貫通してねじ孔に螺合される固定ねじにより、上部ケース２２が下部ケース２１に対して着脱可能に取り付けられて締め付け固定されている。この下部ケース２１と上部ケース２２からなる筐体１１の前面にフロントパネル３０が取り付けられ、このフロントパネル３０によって筐体１１の前面に形成された前面開口部３１が閉じられている。
【００３９】
図１に示すように、フロントパネル３０は、前面開口部３１を含む筐体１１の前面の全体を塞ぐことができる大きさを有する細長い板状の部材からなっている。このフロントパネル３０に挿脱口２４が設けられている。挿脱口２４は、フロントパネル３０の長手方向の略全長に亘るように延在されている。この挿脱口２４の大きさ（長さ及び幅）は、使用される光ディスク７の直径及び厚さよりも少し大きいものである。直径の異なる複数の光ディスク７が使用される場合には、挿脱口２４の長さは、最も大きな直径を有する大径ディスク７Ｌのその直径よりも少し大きいものである。
【００４０】
この挿脱口２４から光ディスク７が筐体１１内に挿入され、また、挿入された光ディスク７が挿脱口２４から筐体１１外に排出される。このフロントパネル３０の挿脱口２４の内側には、外部から筐体１１内に塵埃等が入るのを防止するパネルカーテンを設けることが好ましい。パネルカーテンは、例えば、挿脱口２４の幅方向の両側に配置された可撓性を有する柔軟な一対のフィルム部材（或いはシート部材）によって形成される。このパネルカーテンは、光ディスク７が挿脱口２４を通過していないときには、挿脱口２４の全体を覆って塵埃等の通過を阻止する。一方、光ディスク７が挿脱口２４を通過するときには、光ディスク７が移動する側に弾性的に折り曲げられ、光ディスク７の通過を許容する。
【００４１】
更に、フロントパネル３０の前面には、筐体１１内に挿入されている光ディスク７を排出する際に押圧されるイジェクトボタン３２が設けられている。このフロントパネル３０の挿脱口２４を介して出し入れされる光ディスク７を搬送するための搬送機構１６が、筐体１１に関連して設けられている。搬送機構１６は、第１の搬送機構１７と第２の搬送機構１８とから構成されている。
【００４２】
第１の搬送機構１７は、光ディスク７が挿入される挿脱口２４の挿脱位置と、筐体１１内に設けられた装着部に至る前の中間位置との間に光ディスク７を搬送するものである。また、第２の搬送機構１８は、装着部に至る前の中間位置と、装着部の装着位置との間に光ディスク７を搬送するものである。この際、搬送途中の中間位置において、第１の搬送機構１７と第２の搬送機構１８との間に光ディスク７が受け渡され、２つの搬送機構１７，１８が連動して作動することにより、一連のローディング動作及びアンローディング動作が実行される。
【００４３】
即ち、搬送機構１６は、ディスク装着時においては、挿脱口２４から挿入された光ディスク７を、まず、第１の搬送機構１７が挿脱位置から中間位置まで搬送する。この中間位置において、光ディスク７が第１の搬送機構１７から第２の搬送機構１８に受け渡される。その後、光ディスク７は、第２の搬送機構１８により中間位置から装着部の装着位置まで搬送される。一方、ディスク排出時においては、まず、第２の搬送機構１８が光ディスク７を、装着位置から中間位置まで搬送する。中間位置において、光ディスク７が第２の搬送機構１８から第１の搬送機構１７に受け渡され、その後、第１の搬送機構１７によって挿脱位置まで搬送される。そして、ディスク排出時には、挿脱口２４から光ディスク７の先部を所定量だけ突出させる。この位置が挿脱位置であり、操作者が光ディスク７を掴んで取り出すことができる位置である。
【００４４】
図２〜図５に示すように、搬送機構１６の第１の搬送機構１７は、搬送部材の第１の具体例を示す搬送ローラ４０と可動フレーム４１と上部フレーム４２と支持フレーム４３とローラ回転駆動部４４等を備えて構成されている。搬送ローラ４０は、光ディスク７の挿入・排出を行うローラであり、軸方向中央の外径を最も小さくし、その軸方向両端の外径を最も大きくした鼓状の中細ロールとして形成されている。この搬送ローラ４０の材質としては、光ディスク７との摩擦抵抗を確保するために、例えば、ゴムやウレタン系のプラスチック材料が好適である。搬送ローラ４０には、その軸心部を貫通する中心穴が設けられている。搬送ローラ４０の中心穴には、ステンレス鋼等の金属によって作られたローラ軸４８が圧入されて挿通されている。
【００４５】
ローラ軸４８の両端は、搬送ローラ４０の両端から所定量だけ突出されており、一方の突出部には、これに嵌合されるギアを回転方向に一体化させるためのＤ字状の切欠き部４８ａが設けられている。このローラ軸４８の両端部が一対の軸受片４１ａ，４１ｂを介して可動フレーム４１に回動自在に支持されている。これにより、ローラ軸４８を介して搬送ローラ４０が、可動フレーム４１に対して回転自在に支持されている。
【００４６】
可動フレーム４１は、搬送ローラ４０の直径と同程度の幅であって、軸方向の長さとも同程度の長さを有していると共に、長手方向の両端部を同方向へ略平行に折り曲げることによって形成した一対の軸受片４１ａ，４１ｂを有している。この可動フレーム４１には、一対の軸受片４１ａ，４１ｂと同じ側に突出した一対のアーム片４９ａ，４９ｂが一体に設けられている。一対のアーム片４９ａ，４９ｂは、軸方向へ所定の間隔をあけて略平行をなすように設けられている。この実施例では、一対のアーム片４９ａ，４９ｂの間隔は、下部ケース２１の、デッキ部２１ｂを除いた前面開口部３１の長さと同程度の長さに設定されている。
【００４７】
一対のアーム片４９ａ，４９ｂのうち、第１のアーム片４９ａは、一方の軸受片４１ａと一体に形成されており、その先端部には挿通孔５１ａが設けられている。この挿通孔５１ａに対応する軸凸部５２ａが上部フレーム４２に設けられており、その軸凸部５２ａが挿通孔５１ａに回動自在に嵌合されている。そして、図１０〜図１２に示すように、軸凸部５２ａの先端部に止め輪５３ａを係合することにより、第１のアーム片４９ａが抜け止めされ、上部フレーム４２に回動自在に軸支されている。第２のアーム片４９ｂは、他方の軸受片４１ｂの内側に設けた連結片４１ｃに固定されており、その先端部には挿通孔５１ｂが設けられている。この挿通孔５１ｂに対応する軸凸部が支持フレーム４３に設けられており（図示しない）、その軸凸部が挿通孔５１ｂに回動自在に嵌合されている。同様にして、その軸凸部の先端部に止め輪５３ｂを係合することにより、第２のアーム片４９ｂが抜け止めされ、支持フレーム４３に回動自在に軸支されている。
【００４８】
搬送ローラ４０を回動自在に支持する可動フレーム４１は、付勢部材の一具体例を示す圧縮ばねからなるコイルばね５５によって上部ケース２２側へ常に付勢されている。コイルばね５５は、搬送ローラ４０を適切な力で光ディスク７の主面に押し付け、その光ディスク７との間に適当な摩擦力を生じさせるものである。このコイルばね５５は、可動フレーム４１の連結片４１ｃと支持フレーム４３の受け部４３ｃとの間に介在されている。図５Ｃに示すように、連結片４１ｃと受け部４３ｃとは、互いに対面する位置に設定されていると共に、互いに近づく方向に突出するダボ５６ａ，５６ｂが設けられている。連結片４１ｃのダボ５６ａにはコイルばね５５の一端が係合され、受け部４３ｃのダボ５６ａ，５６ｂにはコイルばね５５の他端が係合されていて、両ダボ５６ａ，５６ｂによってコイルばね５５の脱落が防止されている。
【００４９】
上部フレーム４２は、搬送ローラ４０によって付勢された光ディスク７を摺動可能に支持し、搬送ローラ４０の回転により生ずる摩擦力で光ディスク７を移動させることを可能とする。上部フレーム４２は、上部ケース２２に固定されるフレーム板４２ａと、このフレーム板４２ａに固定された摺動ガイド４２ｂからなっている。フレーム板４２ａは、ステンレス鋼等の金属材料により薄い板体として形成されている。このフレーム板４２ａは、搬送ローラ４０の軸方向の長さと同程度の長さを有し、また、幅方向の長さは、搬送ローラ４０から付与される付勢力に対抗できるように十分な強度を持たせるために幅広に形成されている。更に、フレーム板４２ａの長手方向一側の幅を他の部分よりも広く設定することにより、フレーム板４２ａの強度の増大を図っている。
【００５０】
また、フレーム板４２ａの長手方向の両端には、それぞれの端部を同方向へ略９０度折り曲げることによって左固定片５７ａと右固定片５７ｂが設けられている。左右の固定片５７ａ，５７ｂは、上部フレーム４２を筐体１１に固定するためのもので、左固定片５７ａには挿通孔が設けられ、右固定片５７ｂには２つの爪部５８ａ，５８ｂが設けられている。左固定片５７ａの挿通孔に対応するねじ孔が上部ケース２２に設けられており、挿通孔を介してねじ孔に螺合されるねじ５９により、左固定片５７ａが上部ケース２２の折曲部２２ａにねじ止めされて固定されている。また、右固定片５７ｂの２つの爪部５８ａ，５８ｂに対応する２つの角孔６１ａ，６１ｂが、支持フレーム４３に設けられている。２つの角孔６１ａ，６１ｂに２つの爪部５８ａ，５８ｂを係合することにより、右固定片５７ｂが支持フレーム４３に係合保持されている。
【００５１】
フレーム板４２ａの内面であって、搬送ローラ４０と対応する位置に、その軸方向と平行に延在された摺動ガイド４２ｂが一体的に設けられている。摺動ガイド４２ｂは、搬送ローラ４０の押圧力によって付勢される光ディスク７を摺動可能に支持し、その付勢力で押しつけられる光ディスク７の上面に傷が付けられるのを防止する。図５Ｃ及び図１３Ｃ等に示すように、摺動ガイド４２ｂは、断面形状が凸側の円弧部として形成された接触部６２ａと、この接触部６２ａの後方（筐体１１の奥行き側）に連続された姿勢修正部６２ｂを有し、摩擦抵抗の小さい樹脂材料によって形成されている。摺動ガイド４２ｂは、接着剤によってフレーム板４２ａの内面に接合されている。そして、摺動ガイド４２ｂの接合強度を高めるため、摺動ガイド４２ｂには複数個所（この実施例では３箇所）にカシメ部６２ｃが設けられている。これらのカシメ部６２ｃは、フレーム板４２ａに設けた孔に嵌合されていて、その先端がカシメ止めされている。
【００５２】
支持フレーム４３は、筐体１１のデッキ部２１ｂの下側に形成された空間部に嵌まり合う大きさ及び形状に形成されている。この支持フレーム４３は、デッキ部２１ｂの平面形状内に納まる形状を有する平面部４３ａと、この平面部４３ａの第１の辺に連続する断面形状がコ字状をなすギア支持部４３ｂと、平面部４３ａの第２の辺に連続すると共にコイルばね５５の一端を支える断面形状がＬ字状をなす前記受け部４３ｃと、平面部４３ａの第３の辺に連続して９０度折り曲げられ他アーム支持部４３ｄとを有している。
【００５３】
平面部４３ａ及びアーム支持部４３ｄには１又は２以上の挿通孔が設けられており、これらの挿通孔に対応するねじ孔が下部ケース２１に設けられている。各挿通孔を貫通してねじ孔に螺合される複数のねじの締め込みにより支持フレーム４３が、デッキ部２１ｂの下方に形成された空間部内に納まるように下部ケース２１にねじ止めされて固定されている。更に、平面部４３ａの一部を切り出すことによって形成された挟持片４３ｅが、アーム支持部４３ｄに対面するように設けられている。この挟持片４３ｅとアーム支持部４３ｄの間に所定の隙間が設けられており、その隙間内に可動フレーム４１の第２のアーム片４９ｂが出し入れ可能に挿入れている。アーム支持部４３ｄには、図示しない軸凸部が設けられており、その軸凸部が第２のアーム片４９ｂの先端に設けた挿通孔５１ｂを回動自在に貫通している。軸凸部の先端には止め輪５３ｂが嵌め込まれており、これにより、挿通孔５１ｂからの軸凸部の抜け出しが防止されている。
【００５４】
支持フレーム４３には、搬送ローラ４０を回転駆動するためのローラ回転駆動部４４が設けられている。ローラ回転駆動部４４は、動力発生源となる電動モータ４５と、この電動モータ４５の回転力を搬送ローラ４０と一体化されたローラ軸４８に伝達するギア列４６等を備えて構成されている。電動モータ４５は、支持フレーム４３の内側に形成された空間部内に配置されており、支持フレーム４３の側面に設けた貫通穴６５に回転軸を貫通させた状態で平面部４３ａにねじ止めされて固定されている。電動モータ４５の回転軸には、出力ギア６６が固定されて、回転方向に一体化されている。
【００５５】
ギア列４６は、駆動ギア６７と従動ギア６８と５個の中間ギア７１，７２，７３，７４，７５とを有している。駆動ギア６７と５個の中間ギア７１〜７５は、支持フレーム４３のギア支持部４３ｂにおいて側方へ突出するように設けた６個のギア軸７６ａ，７６ｂ，７６ｃ，７６ｄ，７６ｅ，７６ｆに回転自在に支持されている。駆動ギア６７は、歯幅方向に重ね合わされて一体とされた小径ギア６７ａを有している。駆動ギア６７が出力ギア６６に噛合され、小径ギア６７ａが第１の中間ギア７１に噛合されている。第１の中間ギア７１は第２の中間ギア７２に噛合されている。第２の中間ギア７２は、歯幅方向に重ね合わされて一体とされた小径ギア７２ａを有しており、その小径ギア７２ａが第３の中間ギア７３に噛合されている。
【００５６】
第３の中間ギア７３は第４の中間ギア７４に噛合されている。第４の中間ギア７４は、歯幅方向に重ね合わされて一体とされた小径ギア７４ａを有しており、その小径ギア７４ａが第５の中間ギア７５に噛合されている。そして、第５の中間ギア７５が従動ギア６８に噛合されている。従動ギア６８は、回転軸４８のＤ字状にカットされた切欠き部４８ａに対応する凸部を設けた軸受穴６８ａを有しており、その軸受穴６８ａを切欠き部４８ａに嵌合している。これにより、従動ギア６８が回転軸４８に対して回転方向へ一体とされている。そして、従動ギア６８は、固定ねじ７７によって回転軸４８に締め付け固定されている。
【００５７】
このような構成を有する第１の搬送機構１７は、例えば、次のようにして筐体１１に組み立てられている。まず、搬送ローラ４０を可動フレーム４１に組み立てる。この組立は、可動フレーム４１の一対の軸受片４１ａ，４１ｂ間に搬送ローラ４０を介在させ、両軸受片４１ａ，４１ｂの軸受孔と搬送ローラ４０の中心穴にローラ軸４８を貫通させる。そして、ローラ軸４８の一端に従動ギア６８をねじ止めする。これとは別に、支持フレーム４３に、ローラ回転駆動部４４を組み立てる。この組立は、まず、支持フレーム４３に電動モータ４５を取り付け、その回転軸に出力ギア６６を固定する。次に、支持フレーム４３のギア支持部４３ｂに設けた６個のギア軸７６ａ〜７６ｆに、それぞれ所定のギア６７，７１，７２，７３，７４，７５をねじ７８で固定して回転自在に支持する。
【００５８】
次に、搬送ローラ４０が組み立てられた可動フレーム４１の第２のアーム片４９ｂを、ローラ回転駆動部４４が組み立てられた支持フレーム４３のアーム支持部４３ｄと挟持片４３ｅとの間の隙間内に差し込む。この際、支持フレーム４３の受け部４３ｃと可動フレーム４１の連結片４１ｃとの間にコイルばね５５を介在させる。そして、アーム支持部４３ｄに設けた軸凸部を第２のアーム片４９ｂの先端部に設けた挿通孔５１ｂに貫通させ、その先端に止め輪５３ｂを係合させて抜け止めする。次いで、２個のねじ７９を用いて、支持フレーム４３を下部ケース２１の所定位置にねじ止めする。これにより、デッキ部２１ｂの下方の空間部に、搬送ローラ４０を回転駆動するローラ回転駆動部４４が配置される。その結果、第１の搬送機構１７を筐体１１に組み立てた状態においても、支持フレーム４３がデッキ部２１ｂの下方に形成された空間部内に納められるため、装置の厚みが増えることがなく、筐体１１の薄い状態を保持することができる。
【００５９】
この状態を保持して、次に、上部フレーム４２の長手方向の一側に形成された第２の固定片５７ｂに設けた２つの爪部５８ａ，５８ｂを、支持フレーム４３に設けた２つの角孔６１ａ，６１ｂに引っ掛ける。次いで、上部フレーム４２の長手方向の他側に形成された第１の固定片５７ａを、筐体１１の側面にねじ５９によってねじ止めする。最後に、可動フレーム４１の第１のアーム片４９ａを弾性変形させて押し広げ、その先端部に設けた挿通孔５１ａを、上部フレーム４２の長手方向の他側に形成された第１の固定片５７ａに設けた軸凸部に嵌合させる。そして、その軸凸部の先端に止め輪５３ａを係合させて抜け止めする。
【００６０】
このような構成を有する第１の搬送機構１７では、次のようにして電動モータ４５の回転力がギア列４６を介してローラ軸４８に伝達され、そのローラ軸４８と一体に搬送ローラ４０が回転駆動される。即ち、電動モータ４５を駆動すると、その回転力が出力ギア６６から駆動ギア６７、第１の中間ギア７１、第２の中間ギア７２、第３の中間ギア７３、第４の中間ギア７４及び第５の中間ギア７５を介して従動ギア６８に伝達される。このとき、従動ギア６８は、Ｄ字軸とＤ字穴との組み合わせによってローラ軸４８と回転方向に一体とされているため、電動モータ４５の回転力がローラ軸４８まで確実に伝達され、搬送ローラ４０を確実に回転駆動することができる。この場合、電動モータ４５が支持フレーム４３からはみ出すことがないから、ディスクドライブ装置１０の厚みが増えることがなく、ディスクドライブ装置１０の薄型化を実現することができる。
【００６１】
次に、第１の搬送機構１７における光ディスクの搬送動作（ローディング動作）について、図２、図５Ｃ、図６、図１３Ａ，Ｂ及び図１４Ｂを参照して説明する。第１の搬送機構１７における光ディスク７の搬送動作は、大径ディスク７Ｌ又は小径ディスク７Ｓのいずれの場合であっても同様である。
【００６２】
図２等に示すように、操作者が光ディスク７を挿脱口２４に挿入すると、その光ディスク７の厚みにより、コイルばね５５の付勢力に抗して搬送ローラ４０が光ディスク７の厚み分だけ押し下げられ、摺動ガイド４２ｂから離れる方向に移動する。この操作者による光ディスク７の挿入量は、図示しない位置検出センサによって検出されており、操作者の手によって光ディスク７が所定位置まで挿入されると、位置検出センサの出力がオンとなり、その検出信号によって後述する制御装置が駆動される。その結果、第１の搬送機構１７のローラ回転駆動部４４の電動モータ４５が駆動され、その駆動力によって搬送ローラ４０が光ディスク７を筐体１１内へ引き込む方向に回転駆動される。これにより、光ディスク７は、図２及び図５Ｃに示す状態から、図１３Ａ，Ｂに示す状態を経て、図１４Ｂに示す状態に変化する。そして、後述する第２の搬送機構１８に受け渡される。
【００６３】
なお、位置検出センサは、メカ的に動作するプッシュ型の検出スイッチに限定されるものではなく、例えば、光反射型のフォトインタラプタ出会っても良く、また、その他の位置検出センサを用いることができるものである。この際、光反射型の位置検出センサを用いると、搬送ローラ４０が中細ロールとなっているため、摺動ガイド４２ｂを同じく中細の形状とすることにより、挿入される光ディスク７が搬送ローラ４０と接触する前に、光ディスク７が挿入されたことを知ることができる。その結果、操作者が光ディスク７の押圧力で搬送ローラ４０を回転させる前に、ローラ回転駆動部４４を動作させて搬送ローラ４０を回転させることができるため、よりスムースなローディング動作が可能となる。
【００６４】
この第１の搬送機構１７では、搬送ローラ４０はローラ回転駆動部４４に直結されており、光ディスク７が挿入される前後においても、搬送ローラ４０が常時回転駆動される構成となっている。そして、搬送ローラ４０は、コイルばね５５によって常に摺動ガイド４２ｂ側に付勢されており、光ディスク７が挿入されると、その光ディスク７の厚み分だけ搬送ローラ４０が後退動作をするが、光ディスク７が通過すると、元の位置に戻る構成となっている。しかも、搬送ローラ４０が設置されている位置は、使用される光ディスクのうち、最も外径の大きいディスク７Ｌの外周縁よりも外側の位置である。そのため、記録再生時においても、常に搬送ローラ４０を回転させておくことができ、従って、従来のディスクローディング装置のように搬送ローラを下方へ退避させる退避機構が不要となる。これにより、本発明の実施例では、搬送ローラ４０を下方へ退避させたり、その退避位置でロックさせたりしない分だけ余計なスペースを必要とすることがなく、装置の薄型化に有利となる。
【００６５】
次に、搬送機構１６の第２の搬送機構１８について、図６、図１０、図１１、図１２、図１４Ｂ及び図１５Ａ，Ｂを参照して説明する。図６等に示すように、第２の搬送機構１８は、上部ケース２２と挿脱口２４から挿入された光学ディスク７との間で移動操作されるサポート部材として２つの回動アーム８１，８２を有している。第１の回動アーム８１及び第２の回動アーム８２は、それぞれ長尺状の板金からなり、筐体１１の略中央部に配置される装着部であるターンテーブル８３を挟んで左右方向の両側に配置されている。更に、第１の回動アーム８１及び第２の回動アーム８２は、ターンテーブル８３よりも背面側に位置する基端部８１ａ，８２ａにおいて、サブシャーシ８４に設けた支持軸を介して回動可能に支持されている。これにより、第１の回動アーム８１及び第２の回動アーム８２の各先端部８１ｂ，８２ｂがターンテーブル８３よりも前面側に位置し、それぞれの先端部８１ｂ，８２ｂが挿脱口２４の内側に臨んでいる。
【００６６】
また、第１の回動アーム８１及び第２の回動アーム８２の各先端部８１ｂ，８２ｂには、挿入された光ディスク７の外周部に当接される前面側当接部材がそれぞれ設けられている。更に、第１の回動アーム８１の基端部８１ａには、光ディスク７を装着位置に位置決めする際に、前面側当接部材と共に光ディスク７の外周部に当接される背面側当接部材が設けられている。これらの当接部材は、それぞれ下方に向って突出するように設けられている。前面側当接部材及び背面側当接部材は、光ディスク７よりも柔らかい樹脂によって形成されている。そして、光ディスク７の滑りを防ぐ等を目的として、各当接部材は中央部の軸径を両外側の軸径よりも細くして鼓状に形成されている。
【００６７】
これら第１の回動アーム８１及び第２の回動アーム８２は、図示しない連動機構により連動して、互いに逆方向へ回動可能に構成されている。即ち、第１の回動アーム８１の先端部８１ｂと第２の回動アーム８２の先端部８２ｂは、連動機構によって互いに接近し又は離反する方向へ揺動可能となっている。更に、第１の回動アーム８１及び第２の回動アーム８２の各基端部８１ａ，８２ａには、図示しないが、両回動アーム８１，８２を互いに接近する方向へ付勢する付勢部材である捩りコイルばねが設けられている。
【００６８】
また、第２の搬送機構１８は、第１の搬送機構１７から引き渡された光ディスク７を筐体１１内の所定位置である装着位置まで搬送する動作を補助するための第３の回動アーム８５を有している。第３の回動アーム８５は、長尺状の板金からなり、第１の回動アーム８１の先端部８１ｂよりも少し前面側に配置されている。この第３の回動アーム８５は、その基端部８５ａが、筐体１１のデッキ部２１ｂ上に設けられた支軸によって回動可能に支持されている。第３の回動アーム８５の先端部８５ｂには、挿脱口２４から挿入された光ディスク７の外周部の前面側に当接される第３の当接部材が回動可能に設けられている。第３の当接部材は、上方に向かって突出するように支持されている。
【００６９】
更に、第２の搬送機構１８は、第１の搬送機構１７を介して光ディスク７を挿脱口２４から筐体１１の外へと排出するイジェクト動作を補助するための第４の回動アーム８６を有している。第４の回動アーム８６は、長尺状の板金からなり、その基端部８６ａが、第１の回動アーム８１の中間部に回動可能に支持されている。第４の回動アーム８６の先端部８６ｂには、第１の搬送機構１７から受け渡された光ディスク７の外周部の背面側に当接される第４の当接部材が回動可能に設けられている。第４の当接部材は、上方に向かって突出するように支持されている。第３の当接部材及び第４の当接部材は、光ディスク７よりも柔らかい樹脂によって形成されている。そして、光ディスク７の滑りを防ぐ等を目的として、各当接部材は中央部の軸径を両外側の軸径よりも細くして鼓状に形成されている。
【００７０】
また、第２の搬送機構１８は、第１から第４までの４つの回動アーム８１，８２，８５，８６を協働させるための駆動レバー１３０を有している。図１１及び図１２に示すように、駆動レバー１３０は、偏平な板状の部材からなり、下部ケース２１の底面部２１ａにおいて、前後方向へ所定範囲内で移動可能に保持されている。この駆動レバー１３０は、挿脱口２４から筐体１１の内部に挿入される光ディスク７よりも下方に位置しており、その上面部がデッキ部２１ｂの底面部と略一致した高さとなっている。そして、駆動レバー１３０は、下部ケース２１の底面部２１ａに設けた図示しないレバー駆動機構（駆動モータとギア群等からなる。）によって前後方向へスライド駆動される。
【００７１】
この駆動レバー１３０が前後方向へスライドすることにより、第１の回動アーム８１と第２の回動アーム８２が、連動機構を介して互いに逆方向に回動操作される。これと同時に、第３の回動アーム８５と第４の回動アーム８６が、同じく連動して回動操作される。これにより、第１の回動アーム８１と第２の回動アーム８２と第３の回動アーム８５と第４の回動アーム８６が互いに協働しながら動作して、ローディング動作とセンタリング動作とイジェクト動作が実行される。
【００７２】
ローディング動作は、光ディスク７を挿脱口２４から筐体１１の内部へと引き込む動作である。また、センタリング動作は、筐体１１の内部に引き込んだ光ディスク７を装着部であるターンテーブル８３の装着位置に位置決めする動作である。そして、イジェクト動作は、操作者によるイジェクトボタン３２の押圧操作に基づいて、光ディスク７を挿脱口２４から筐体１１の外部へと排出する動作である。
【００７３】
次に、第２の搬送機構１８による光ディスク７の搬送動作を、図１０〜図１２を参照して説明する。図１０は、大径ディスク７Ｌ又は小径ディスク７Ｓを、第１の搬送機構１７から第２の搬送機構１８に受け渡した状態（第２の搬送機構１８から第１の搬送機構１７に受け渡す場合も同様である。）を示している。この実施例では、ディスク外径の異なる複数種類の光ディスク７（例えば、直径が１２ｃｍの大径ディスク７Ｌと直径が８ｃｍの小径ディスク７Ｓ等）が挿入された場合にも対応できる構造となっており、その光ディスク７の大きさに応じて、それぞれの外周縁を保持して装着位置まで搬送することができる。
【００７４】
図１０に示すように、第１の搬送機構１７から光ディスク７が受け渡されると、図示しない検出スイッチにより、所定位置において光ディスク７が所定位置まで挿入（移動）されたことが検出される。これにより、第２の搬送機構１８の動作が開始され、第１〜第４の回動アーム８１，８２，８５，８６の４本の回動アームの作動を介して、４つの当接部に保持されて光ディスク７が装着位置まで搬送される。図１１は、大径ディスク７Ｌが装着位置に搬送された状態を示している。また、図１２は、小径ディスク７Ｓが装着位置に搬送された状態を示している。これらの装着位置において、後述するピックアップ移動機構１５の作動により、大径ディスク７Ｌ又は小径ディスク７Ｓが、装着部であるターンテーブル８３に装着されてチャッキングが行われる。
【００７５】
一方、操作者がイジェクトボタン３２を押圧すると、ターンテーブル８３による大径ディスク７Ｌ又は小径ディスク７Ｓのチャッキングが解除される。これと共に、搬送機構１６の第２の搬送機構１８及び第１の搬送機構１７の逆動作がそれぞれ開始される。この際、第２の搬送機構１８では、第１〜第４の回動アーム８１，８２，８５，８６の４本の回動アームの作動を介して、４つの当接部に保持されて光ディスク７が、図１１又は図１２に示す装着位置から第１の搬送機構１７まで搬送される。その後、第１の搬送機構１７により、図１０に示す挿脱位置まで搬送され、筐体１１の外部に光ディスク７が大きく突出される。
【００７６】
次に、光ディスク７に対する情報信号の記録と再生を実行するベースユニット２０について、図７〜図９を参照して説明する。ベースユニット２０は、図７〜図９に示すように、ベース部材１２と回転駆動機構１３と光ピックアップ１４とピックアップ移動機構１５等を備えて構成されている。回転駆動機構１３は、装着部となるターンテーブル８３を有し、搬送機構１６により搬送されてきた光ディスク７を、そのターンテーブル８３に装着して所定速度で回転駆動する（例えば、線速度一定）。また、光ピックアップ１４は、ターンテーブル８３に装着されて回転駆動される光ディスク７に対して、その情報記録面に光ビームを照射して新たに情報を書き込み、或いは、照射した光ビームの反射光を読み込むことにより、予め情報記録面に記録されている情報を読み出す。
【００７７】
また、ピックアップ移動機構１５は、光ピックアップ１４を、ターンテーブル８３に装着されて回転駆動される光ディスク７の情報記録面に沿って半径方向外側へ移動させる。この半径方向外側への移動時に、光ピックアップ１４による情報信号の記録及び／又は再生動作が実行される。ベース部材１２は、これら回転駆動機構１３と光ピックアップ１４とピックアップ移動機構１５が搭載されるものであり、筐体１１内において、その筐体１１に姿勢変更可能に取り付けられている。
【００７８】
ベース部材１２は、板金を所定の形状に打ち抜き、その周囲を僅かに下方へ折り曲げることによって形成されている。図９に示すように、ベース部材１２の平面形状は、長方形の４つの角部に大きな面取り部を設けると共に、内側に大きな開口部９１を設け、全体として横長の略八角形をなす枠体として形成されている。開口部９１は、光ピックアップ１４の上部を露出させるピックアップ用開口部９１ａと、回転駆動機構１３のターンテーブル８３を上方へ臨ませるテーブル用開口部９１ｂを有している。ピックアップ用開口部９１ａは、光ピックアップ１４の上部全体を露出させるように大きく略矩形に形成されており、その長手方向の一側に略半円形をなすテーブル用開口部９１ｂが配置されている。
【００７９】
テーブル用開口部９１ｂには、回転駆動機構１３が配置されている。回転駆動機構１３は、図９及び図１５Ａ，Ｂに示すように、光ディスク７が着脱可能に装着されるターンテーブル８３を有するスピンドルモータ９２と、このスピンドルモータ９２を固定してベース部材１２に支持する支持プレート９３を有している。ターンテーブル８３は、スピンドルモータ９２の回転部に装着されて一体的に設けられており、支持プレート９３に固定された固定部９２ａによって回転自在に支持されている。このターンテーブル８３の載置部８３ｂが、ベース部材１２のテーブル用開口部９１ｂから僅かに上方へ突出するように、スピンドルモータ９２を支持する支持プレート９３がベース部材１２の下面にねじ止めされて取り付けられている。
【００８０】
ターンテーブル８３は、光ディスク７の中心穴７ａに嵌合される円柱状の凸部からなる嵌合部８３ａと、光ディスク７の中心穴７ａの周縁部が載置される載置部８３ｂを有している。嵌合部８３ａと載置部８３ｂは一体に形成されており、載置部８３ｂには、光ディスク７との接触を和らげるリング状のクッション材９４が取り付けられている。嵌合部８３ａには、光ディスク７の中心穴７ａに係合される複数（本実施例では３個）の係止爪９５が周方向へ等間隔に配置されている。各係止爪９５は、図示しないコイルばね等の弾性部材により付勢され、各先端部が嵌合部８３ａの外周面から半径方向外側へ突出されている。これらの係止爪９５がチャッキング機構をなしており、すべての係止爪９５を中心穴７ａに係合することにより、光ディスク７がターンテーブル８３上に保持される。
【００８１】
この回転駆動機構１３に対して、光ピックアップ１４が所定の範囲内で接近及び離反可能に構成されている。光ピックアップ１４は、光ビームを出射する光源となる半導体レーザと、戻りの光ビームを受光する受光素子等からなる光検出器を有している。この光ピックアップ１４は、半導体レーザから光ビームを出射し、その光ビームを対物レンズ９６により集光して光ディスク７の情報記録面に照射すると共に、その情報記録面で反射された戻りの光ビームを光検出器で受光する。これにより、光ディスク７に対する情報信号の書き込み又は読み出しを行うことができる。
【００８２】
また、光ピックアップ１４は、対物レンズ９６を光軸方向（以下「フォーカシング方向」という。）と、光ディスク７の記録トラックと直交する方向（以下「トラッキング方向」という。）に変位駆動する２軸アクチュエータ等の対物レンズ駆動機構を有している。この対物レンズ駆動機構が、光検出器により検出された光ディスク７からの検出信号に基づいて対物レンズ９６をフォーカシング方向及びトラッキング方向に変位させながら、情報記録面上に対物レンズ９６の焦点を合わせる。これにより、対物レンズ９６の焦点を情報記録面上に合わせるフォーカスサーボや、対物レンズ９６により集光される光ビームのスポットを記録トラックに追従させるトラッキングサーボ等の駆動制御が実行される。この光ピックアップ１４が、ピックアップ移動機構１５を介してベース部材１２に搭載され、ターンテーブル８３に対して所定の範囲内で接近及び離反可能とされている。
【００８３】
ピックアップ移動機構１５は、ピックアップベース１０１と一対のガイド軸１０２，１０３と送りねじ軸１０４と駆動モータ１０５を有している。ピックアップベース１０１は、２軸アクチュエータや光検出器等が収納される偏平なブロック状の部材からなり、一対のガイド軸１０２，１０３によって移動可能に支持されている。一対のガイド軸１０２，１０３は、ベース部材１２の下面においてターンテーブル８３の一側に、互いに所定の間隔をあけて略平行となるように配置されている。そして、一対のガイド軸１０２，１０３は、ベース部材１２の４箇所において、それぞれ軸受部によって両端支持されている。各軸受部は、ベース部材１２に設けた軸受片と別部材の押え板からなり、押え板をねじ止めして軸受片との間で挟持することにより、一対のガイド軸１０２，１０３がベース部材１２に締付固定されている。
【００８４】
ピックアップベース１０１は、一対のガイド軸１０２，１０３の軸方向と直交する両外側に突出する第１の軸受部１０６と第２の軸受部１０７を有している。第１の軸受部１０６は、第１のガイド軸１０２が摺動可能に挿通される軸受穴を有する前側軸受部１０６ａと後側軸受部１０６ｂからなっている。前後の軸受部１０６ａ，１０６ｂは、第１のガイド軸１０２の軸方向へ所定の間隔をあけて同一平面上に配置されている。この前後の軸受部１０６ａ，１０６ｂ間に、送りねじ軸１０４のねじ溝に係合部を有するラック１０８が配置されている。このラック１０８は、固定ねじ１０９によってピックアップベース１０１にねじ止めされている。
【００８５】
第２の軸受部１０７には、側方に開口するガイド溝が設けられている。このガイド溝に、第２のガイド軸１０３が摺動可能に挿通されている。この第２の軸受部１０７を貫通する第２のガイド軸１０３と、第１の軸受部１０６の前後の軸受部１０６ａ，１０６ｂを貫通する第１のガイド軸１０２によって、ピックアップベース１０１がスライド可能に支持されている。送りねじ軸１０４は、第１のガイド軸１０２との間に所定の間隔をあけて略平行に配置されている。送りねじ軸１０４は、駆動モータ１０５の回転軸となっており、その駆動モータ１０５が図示しない取付ブラケットにより、ベース部材１２に固定されている。取付ブラケットには、送りねじ軸６４の先端側が回動自在に支持されている。この取付ブラケットがベース部材１２にねじ止めされており、これにより、送りねじ軸１０４と駆動モータ１０５がベース部材１２に取り付けられている。
【００８６】
ピックアップベース１０１には、図示しないフレキシブル配線板の一端が連結されている。このフレキシブル配線板は、ベース部材１２に保持されている光ピックアップ１４をディスクドライブ装置１０の外部にある図示しない電源側コネクタと電気的に接続するもので、可撓性を有する柔軟性に富んだ配線部材である。フレキシブル配線板は、ピックアップベース１０１に取り付けられる第１の接続部と、電源側コネクタに接続される第２の接続部を有している。フレキシブル配線板には多数の配線回路を有する配線回路群が形成されており、各配線回路が第１の接続部から第２の接続部までそれぞれ連続されている。
【００８７】
図７に示すように、ベース部材１２の上面にはベースカバー１１０が取り付けられている。このベースカバー１１０は、ベース部材１２の平面形状に略対応する形状とされている。このベースカバー１１０には、ターンテーブル８３と光ピックアップ１４の対物レンズ９６を露出させるための開口部１１１が設けられている。開口部１１１は、光ピックアップ１４の移動方向に延在されており、光ピックアップ１４がターンテーブル８３から最も離れた位置からターンテーブル８３が露出されたテーブル用開口部９１ｂまで連続する長穴として形成されている。このベースカバー１１０が、複数個（本実施例では６個）の固定ねじ１１２によってベース部材１２の上面に締付固定されている。
【００８８】
また、ベース部材１２は、第１の面取り部１１３ａに設けた支持軸１１４と、第２の面取り部１１３ｂに設けた第１のカムピン１１５と、第３の面取り部１１３ｃに設けた第２のカムピン１１６と、第４の面取り部１１３ｄの近傍に設けた支持部１１７を有している。支持軸１１４と第１のカムピン１１５と第２のカムピン１１６は、それぞれの面取り部１１３ａ，１１３ｂ，１１３ｃにおいて、その面に対して略垂直に突出されている。支持部１１７は、ベース部材１２の一部を外側へ折り曲げるようにして一体に形成されている。また、支持軸１１４は、ベースユニット２０を筐体１１に対して回動可能に支持するための軸部であり、スピンドルモータ９２から離れた位置に配置されている。
【００８９】
第１のカムピン１１５と第２のカムピン１１６は、筐体１１に対してベースユニット２０を上下方向へ回動動作させるためのピンである。また、支持部１１７は、ゴム等の弾性や粘性を有するインシュレータを介してベースユニット２０を筐体１１に弾性的に支持する。そのため、支持部１１７には、インシュレータを保持するための係合穴１１７ａが設けられている。この係合穴１１７ａには側方に開口する切欠きが設けられており、側方からインシュレータの出し入れが可能とされている。
【００９０】
図７に示すように、第１のカムピン１１５はスライドプレート１２０に設けたカム溝１２１に摺動可能に係合される。また、第２のカムピン１１６は、前述した駆動レバー１３０に設けたカム溝１３１に摺動可能に係合される。そして、ベースユニット２０は、図６及び図１０〜図１２に示すように、筐体１１の挿脱口２４の一側に配置されている。更に、ベースユニット２０の挿脱口２４側に回動中心を設定し、この回動中心を基準として奥行方向の奥側が上下方向へ回動可能に構成されている。
【００９１】
即ち、ベースユニット２０は、回転駆動機構１３を筐体１１の略中央部に臨ませると共に、その長手方向を筐体１１の対角線方向に向けて配置されている。この状態のベースユニット２０の支持軸１１４と対向する筐体１１の側面には軸受穴が設けられており、その軸受穴に支持軸１１４が回動自在に嵌合されている。更に、支持軸１１４の軸心線の延長線と略重なる位置に、ベースユニット２０の支持部１１７が設けられている。支持部１１７には係合穴１１７ａが設けられており、その係合穴１１７ａにインシュレータ１２３が装着されている。インシュレータ１２３は、中央部を貫通する穴を有しており、その穴を貫通する取付ねじ１２４によって支持部１１７が、下部ケース２１の底面部２１ａに弾性的に固定支持されている。
【００９２】
このようにしてベースユニット２０が、筐体１１に対して上下方向へ傾き角変更可能に取り付けられている。このベースユニット２０の姿勢（傾き角）を変更させる昇降動作を確保するため、ディスクドライブ装置１０には着脱機構１９が設けられている。着脱機構１９は、ベースユニット２０を上下方向へ揺動させて昇降動作させることにより、そのベースユニット２０をチャッキング位置とチャッキング解除位置と中間位置（記録再生位置）に移動させる。
【００９３】
即ち、着脱機構１９でベースユニット２０を上昇させることにより、装着部であるターンテーブル８３が装着位置に移動する。これにより、装着位置に位置決めされた光ディスク７の中心穴７ａにターンテーブル８３の嵌合部８３ａが嵌合され、光ディスク７がターンテーブル８３にチャッキングされる。一方、着脱機構１９でベースユニット２０を下降させることにより、ターンテーブル８３がチャッキング解除位置に移動する。これにより、光ディスク７の中心穴７ａからターンテーブル８３の嵌合部８３ａが離脱し、光ディスク７のチャッキングが解除される。また、チャッキング位置とチャッキング解除位置の間の中間位置（記録再生位置）にベースユニット２０を移動することにより、光ピックアップ１４による光ディスク７に対する情報信号の記録又は再生を行うことができる。
【００９４】
この着脱機構１９は、それぞれがスライド動作可能とされた前記スライドプレート１２０と駆動レバー１３０を有している。スライドプレート１２０は、スライド部材の一具体例を示すもので、図７及び図８に示すように、板金製の長尺状の部材によって形成されている。スライドプレート１２０の長手方向の中途部には、幅方向の一側に突出する幅広部１２０ａが設けられている。スライドプレート１２０の幅広部１２０ａの他側には、９０度に折り曲げることによって立ち上げられたカム片１２５が設けられている。カム片１２５は、上部が水平方向に折り曲げられたＬ字形状をなしており、これにより垂直面部１２５ａと水平面部１２５ｂが形成されている。
【００９５】
スライドプレート１２０のカム片１２５の水平面部１２５ｂには、直径の異なる２種類の光ディスクに対応した２種類のカム部１２６ａ，１２６ｂが設けられている。第１のカム部１２６ａは、直径の大きな光ディスク７である大径ディスク７Ｌに対応しており、大径ディスク７Ｌを取り扱うときに用いられる。第２のカム部１２６ｂは、直径の小さな光ディスクである小径ディスク７Ｓを取り扱うときに用いられる。また、カム片１２５の垂直面部１２５ａに、ベースユニット２０のベース部材１２に設けた第１のカムピン１１５が摺動可能に係合されるプレート側カム溝１２１が設けられている。
【００９６】
プレート側カム溝１２１は、第１のカムピン１１５をガイドしてベース部材１２を昇降させることにより、ベースユニット２０の姿勢を変化させる。このプレート側カム溝１２１は、第１のカムピン１１５を下水平部と頂上部と上水平部に位置させる。プレート側カム溝１２１の下水平部は、第１のカムピン１１５を介してベースユニット２０をチャッキング解除位置に位置させる。このとき、ベースユニット２０は、装着位置にセットされた光ディスク７から最も離反されており、ターンテーブル８３側を下にした傾いた状態となっている。
【００９７】
プレート側カム溝１２１の頂上部は、第１のカムピン１１５を介してベースユニット２０をチャッキング位置に位置させる。このとき、ターンテーブル８３の嵌合部８３ａが、装着位置にセットされた光ディスク７の中心穴７ａに嵌合され、ベースユニット２０は、ターンテーブル８３側を僅かに上にした傾いた状態となる。また、上水平部は、第１のカムピン１１５を介してベースユニット２０を中間位置に位置させる。このとき、ベースユニット２０は、図１５Ｂに示すように、挿入された光学ディスク７と略平行した状態になり、この状態において光学ディスク７に対する情報信号の記録又は再生が行われる。
【００９８】
このようなプレート側カム溝１２１が、スライドプレート１２０のカム片１２５の垂直面部１２５ａに形成されている。プレート側カム溝１２１の下水平部は、垂直面部１２５ａの根元部分において、長手方向へ延在するように形成されている。この下水平部の一端に連続する曲線部の上端に頂上部が設けられている。そして、頂上部から僅かに下がった位置に上水平部が設けられている。上水平部は、下水平部と略平行に延在されており、その他端は閉じられている。この上水平部に対応して、後述する姿勢調整機構が設けられている。
【００９９】
スライドプレート１２０の長手方向の一端に操作ピン１２２が設けられている。操作ピン１２２は、スライドプレート１２０のカム片１２５が突出する面に突出されており、この操作ピン１２２が、駆動レバー１３０に設けた連動用カム溝１３２に摺動可能に係合されている。更に、スライドプレート１２０には、このスライドプレート１２０の直線的な移動を確保するために２つの長穴１２７，１２７が設けられている。各長穴１２７には、下部ケース２１の底面部２１ａに固定された案内ピン１２８がそれぞれ摺動可能に係合されている。
【０１００】
図７に示すように、駆動レバー１３０は、適度な厚さを有する樹脂製の長尺状の部材からなり、幅方向の一側にはレバー側カム溝１３１が設けられている。このレバー側カム溝１３１には、ベースユニット２０のベース部材１２の第３の面取り部１１３ｃに設けた第２のカムピン１１６が摺動可能に係合されている。レバー側カム溝１３１は、前述した第１のカムピン１１５を昇降させるプレート側カム溝１２１と連動して、第２のカムピン１１６を昇降させてベース部材１２を回動し、これによりベースユニット２０の姿勢を変化させる。このレバー側カム溝１３１の機能がプレート側カム溝１２１の機能と同一であり、その形状も略同様であるため、レバー側カム溝１３１の形状の説明は省略する。
【０１０１】
この駆動レバー１３０の下面に、スライドプレート１２０の操作ピン１２２が係合される連動用カム溝１３２が設けられている。駆動レバー１３０は、下部ケース２１の底面部２１ａにおいて、スライドプレート１２０のスライド方向と略直交する方向にスライド可能に支持されている。この駆動レバー１３０とスライドプレート１２０が、図７に示すような関係を持ってケース本体１４の底面部１４ａに配置されている。  即ち、駆動レバー１３０が、その長手方向を光ディスク７が出し入れされる前後方向に向けて、ベース部材１２の第３の面取り部１１３ｃと対向するよう底面部２１ａにスライド可能に支持されている。
【０１０２】
この駆動レバー１３０に対してスライドプレート１２０が、その長手方向を光ディスク７が出し入れされる前後方向と直交する方向に向けて、ベース部材１２の第２の面取り部１１３ｂと対向するようにベースユニット２０の奥側に配置され、底面部２１ａにスライド可能に支持されている。更に、駆動レバー１３０には、図１１に示すように、第３の回動レバー８５に設けたピン８８が摺動可能に係合されるカム溝１３３が設けられている。駆動レバー１３０の移動により、カム溝１３３にガイドされてピン８８が移動し、これにより第３の回動レバー８５が回動操作される。
【０１０３】
このような構成を有する着脱機構１９は、筐体１１の下部ケース２１の底面部２１ａに設けられた駆動モータやギア等の動力伝達機構を有する図示しない駆動機構によって動作される。駆動機構が作動すると、図７に示すように、まず、駆動レバー１３０が前後方向（光ディスク７が挿入・排出される方向）Ｘにスライド動作され、この駆動レバー１３０の前後動作によってスライドプレート１２０が、前後方向Ｘと直交する左右方向Ｙにスライド動作される。即ち、駆動レバー１３０の前後動作によって連動用カム溝１３２が前後方向Ｘに移動し、その連動用カム溝１３２の形状変化に応じて操作ピン１２２が左右方向Ｙに移動する。これにより、操作ピン１２２の移動量に応じてスライドプレート１２０が、操作ピン１２２と同じ距離を左右方向Ｙに移動する。
【０１０４】
図１３Ａ，Ｂは、ディスクドライブ装置１０の挿脱口２４に光ディスク７を挿入する初期状態（挿脱口２４から光学ディスク７を取り出す終期状態も同様となる。）を示している。この状態では、ベースユニット２０の奥行方向の奥側が引き下げられ、ターンテーブル８３が装着位置の下方に後退して、ベースユニット２０の全体が傾いた状態にある。この状態から、駆動レバー１３０をスライドさせるための駆動機構を作動することにより、ベースユニット２０が、図１４Ａに示すディスク解除位置から図１５Ａに示す装着位置に移動し、その姿勢が下に傾いた状態から上に少し傾いた状態に変化する。なお、筐体１１の上部ケース２２におけるターンテーブル８３と対応する位置には、ターンテーブル８３の嵌合部８３ａとの干渉を避けるための開口穴２６が設けられている。
【０１０５】
図１４Ａに示す状態から、駆動機構が作動すると、まず、駆動レバー１３０が、前後方向Ｘの後方向Ｘ１に移動する（図７を参照）。これにより、駆動レバー１３０の連動用カム溝１３２にガイドされて操作ピン１２６が、左右方向Ｙの左方向Ｙ１に移動する。これにより、操作ピン１２２の移動量に応じてスライドプレート１２０が、操作ピン１２２と同じ距離を左方向Ｙ１に移動する。このとき、駆動レバー１３０に設けたレバー側カム溝１３１とスライドプレート１２０に設けたプレート側カム溝１２１がカム機構として協働して働く。即ち、レバー側カム溝１３１がベースユニット２０のベース部材１２に設けた第２のカムピン１１６を上昇させ、これと同時に、プレート側カム溝１２１がベース部材１２に設けた第１のカムピン１１５を上昇させる。
【０１０６】
これにより、第１のカムピン１１５がプレート側カム溝１２１にガイドされて上部位置に移動し、同時に、第２のカムピン１１６がレバー側カム溝１３１にガイドされて上部位置に移動する。そして、第１のカムピン１１５がプレート側カム溝１２１の頂上部まで移動すると共に、第２のカムピン１１６がレバー側カム溝１３１の頂上部まで移動する。その結果、ターンテーブル８３の嵌合部８３ａが光ディスク７の中心穴７ａ内に入り込む。これにより、光ディスク７がターンテーブル８３にチャッキングされる。この状態が、図１５Ａに示す状態である。
【０１０７】
更に、駆動レバー１３０が後方向Ｘ１に移動すると共に、スライドプレート１２０が左方向Ｙ１に移動すると、第１のカムピン１１５が頂上部から上水平部まで移動し、同じく第２のカムピン１１６が頂上部から上水平部まで移動する。これにより、第１のカムピン１１５と第２のカムピン１１６が僅かに引き下げられ、ディスクドライブ装置１０が図１５Ｂに示す状態になる。このとき、ディスクドライブ装置１０が略水平状態となり、この状態において、ターンテーブル８３に装着されている光ディスク７に対して、光ピックアップ１４による情報記録面からの情報信号の読み出しが可能となり、また、その情報記録面への新たな情報信号の書き込みが可能となる。
【０１０８】
このディスクドライブ装置１０の略水平状態から、駆動レバー１３０を前後方向Ｘの前方向Ｘ２に移動することにより、前述した動作と逆の動作が実行される。即ち、駆動レバー１３０の前方向Ｘ２への移動により、連動用カム溝１３２とこれに係合された操作ピン１２２の作動を介して、スライドプレート１２０が左右方向Ｙの右方向Ｙ２に移動する。これにより、第１のカムピン１１５が上水平部から頂上部まで移動し、同じく第２のカムピン１１６が上水平部から頂上部まで移動する。そして、第１のカムピン１１５が頂上部から下水平部まで移動し、同じく第２のカムピン１１６が頂上部から下水平部まで移動することにより、ターンテーブル８３から光ディスク７が離脱される。その結果、ベースユニット２０が、上方のチャッキング位置から下方のチャッキング解除位置に移動し、ベースユニット２０の姿勢が、図１５Ｂに示す状態から図１５Ａに示す状態を経て図１４Ａに示す状態に変化する。
【０１０９】
このように動作されるベースユニット２０は、情報信号の記録や再生が行われる略水平状態となる位置において、姿勢調整機構１４０によって高さ（姿勢）を調整することができる。図７及び図８に示すように、姿勢調整機構１４０は、スライドプレート１２０に設けられており、調整ねじ１４１と操作部材１４２と捩りばね１４３とを有している。調整ねじ１４１がスライドプレート１２０に高さ調整可能に螺合され、その先端に当接する受圧部を有する操作部材１４２がスライドプレート１２０に固定されている。捩りばね１４３は、第２の面取り部１１３ｂに設けた支軸１４４に保持されており、一方の弾性片と操作部材１４２の受圧部がプレート側カム溝１２１に臨まれている。この姿勢調整機構１４０では、調整ねじ１４１を回して操作部材１４２の受圧部の高さを変えることにより、ベースユニット２０の水平方向の高さ調整が可能となっている。
【０１１０】
スライドプレート１２０の材質としては、例えば、ステンレス鋼（ＳＵＳ）やスチール鋼等の金属が好適であるが、エンジニアリングプラスチックを用いることもできる。また、駆動レバー１３０の材質としては、例えば、ＰＣ（ポリカーボネート）等のエンジニアリングプラスチックが好適であるが、ステンレス鋼やスチール鋼等の金属を用いることもできる。
【０１１１】
以上説明したように、本発明によれば、揺動方式のスロット型ディスク装置の前面側に、搬送部材（搬送ローラ）を搭載した薄型搬送ユニットを設ける構成とした。そのため、操作者が記録媒体を挿脱口から装置の奥深くまで挿入する必要がなく、記録媒体の挿入及び排出作業を簡単且つ確実に行うことができる。そして、第１の搬送機構であるローラユニットと第２の搬送機構である揺動方式の搬送機構とを組み合わせることにより、記録媒体のローディング開始動作と排出完了動作をスムースに行うことができ、従来のローラ方式と同様に使い勝手が良好であって、操作上の高級感を操作者に与えることができる。しかも、本発明に係るローラユニットは、揺動方式のディスク装置に対して後付けで装着することが可能であり、そのため、顧客・使用者等の要求に応じてディスク装置の形態を容易に変えることができ、製品の自由度を高めることができる。
【０１１２】
また、本発明によれば、搬送ローラの退避機構が不要である、ディスク装置として構成部品の簡素化を図り、構造を簡単にすることができる。更に、操作者の手前からディスクローディングを開始できるため、斜め入れによるディスクの傷付き防止効果を期待することができると共に、安定したローディング動作を実現することができ、信頼性の高いディスク装置を提供することができる。更にまた、搬送ローラを駆動するためのモータを、筐体のデッキ部の下方に設けた空間部内に配置することにより、装置全体の薄型化を確保することができる。なお、前記実施例では、挿脱口から記録媒体を出し入れする実施例について説明したが、これとは別に挿入口又は排出口を設け、別の口から記録媒体を挿入又は排出させる構成とすることもできる。また、搬送部材としては、前述した搬送ローラに限定されるものではなく、例えば、記録媒体を挟んだり、把持したりして搬送できる各種の搬送機構、搬送部品等を適用できるものである。
【０１１３】
本発明は、前述しかつ図面に示した実施の形態に限定されるものではなく、その要旨を逸脱しない範囲内で種々の変形実施が可能である。例えば、前記実施例では、ノート型パソコンに適用した例について説明したが、光ディスクや光磁気ディスクを用いた他の電子機器、例えば、デスクトップ型パーソナルコンピュータ、電子辞書、ＤＶＤプレーヤ、カーナビゲーションその他各種の電子機器に適用できるものである。更に、前記実施例においては、ベースユニットを上下方向へ回動させて記録媒体のチャッキングとその解除を行う例について説明したが、ベースユニットを平行移動させて記録媒体のチャッキングとその解除を行うように構成することができることは勿論である。
【図面の簡単な説明】
【０１１４】
【図１】本発明の記録及び／又は再生装置を備えた電子機器の第１の実施の例を示す斜視図である。
【図２】本発明の記録及び／又は再生装置の第１の実施の例を示す斜視図である。
【図３】図２に示した記録及び／又は再生装置に係る第１の搬送機構の上部フレームを取り外した説明図である。
【図４】図２に示した記録及び／又は再生装置に係る第１の搬送機構を分解した斜視図である。
【図５】図２の記録及び／又は再生装置を示すもので、図５Ａは正面図、図５Ｂは右側面図、図５Ｃは搬送方向に切断した断面図である。
【図６】本発明の記録及び／又は再生装置に大径ディスク及び小径ディスクが挿入される前の状態を示す説明図である。
【図７】本発明の記録及び／又は再生装置に係るベースユニットとスライドプレート及び駆動レバーの関係を説明する平面図である。
【図８】本発明の記録及び／又は再生装置に係るベースユニットとスライドプレートの関係を説明する斜視図である。
【図９】図８に示すベースユニットからベースカバーを取り除いたベースユニットの平面図である。
【図１０】本発明の記録及び／又は再生装置に係る第１の搬送機構から第２の搬送機構へ大径ディスク及び小径ディスクが搬送された状態を示す説明図である。
【図１１】本発明の記録及び／又は再生装置に係る第２の搬送機構に大径ディスクが搬送された状態を示す説明図である。
【図１２】本発明の記録及び／又は再生装置に係る第２の搬送機構に小径ディスクが搬送された状態を示す説明図である。
【図１３】本発明の記録及び／又は再生装置に係る搬送機構にディスクを挿入する前の状態を示すもので、図１３Ａは搬送方向に切断した断面図、図１３Ｂは図１３Ａの要部を拡大して示す説明図である。
【図１４】本発明の記録及び／又は再生装置に係る搬送機構によってディスクを搬送している状態を示すもので、図１４Ａは搬送方向に切断した断面図、図１４Ｂは図１４Ａの要部を拡大して示す説明図である。
【図１５】本発明の記録及び／又は再生装置に係る搬送機構によるローディング状態を示すもので、図１５Ａはローディング時の断面図、図１５Ｂは記録再生時の断面図である。
【符号の説明】
【０１１５】
１…ノート型パーソナルコンピュータ（電子機器）、  ２…装置筐体、  ３…蓋体、  ７，７Ｌ，７Ｓ…光ディスク（記録媒体）、  １０…ディスクドライブ装置（記録及び／又は再生装置）、  １１…筐体、  １２…ベース部材、  １３…回転駆動機構、  １４…ピックアップ装置（光ピックアップ）、  １５…ピックアップ移動機構、  １６…搬送機構、  １７…第１の搬送機構、  １８…第２の搬送機構、  １９…着脱機構、  ２０…ベースユニット、  ２１…下部ケース、  ２１ａ…底面部、  ２１ｂ…デッキ部、  ２２…上部ケース、  ２４…挿脱口、  ３２…イジェクトボタン、  ４０…搬送ローラ（搬送部材）、  ４１…可動フレーム、  ４２…上部フレーム、  ４２ａ…フレーム板、  ４２ｂ…摺動ガイド、  ４３…支持フレーム、  ４４…ローラ回転駆動部、  ４５…電動モータ、  ４６…ギア列、  ４８…ローラ軸、  ５５…コイルばね（付勢部材）、  ８１，８２，８５，８６…回動アーム、  ８３…ターンテーブル、  ９２…スピンドルモータ、  １１５…第１のカムピン、  １１６…第２のカムピン、  １２０…スライドプレート、  １２１…カム溝、  １２２…操作ピン、  １３０…駆動レバー、  １３１…カム溝
【図１】
2008152823.tif 000003
【図２】
2008152823.tif 000004
【図３】
2008152823.tif 000005
【図４】
2008152823.tif 000006
【図５】
2008152823.tif 000007
【図６】
2008152823.tif 000008
【図７】
2008152823.tif 000009
【図８】
2008152823.tif 000010
【図９】
2008152823.tif 000011
【図１０】
2008152823.tif 000012
【図１１】
2008152823.tif 000013
【図１２】
2008152823.tif 000014
【図１３】
2008152823.tif 000015
【図１４】
2008152823.tif 000016
【図１５】
2008152823.tif 000017